(57)【要約】【課題】近距離無線通信を行うためのタグに対し、通信相手となる端末装置を適切な位置に容易に配置させることができる通信装置を提供すること。【解決手段】本発明によれば、端末装置の通信部から発せられた電磁波による電磁誘導を利用する近距離無線通信を行うためのタグの周囲の少なくも一部に、導電性のコイルが配置されている。コイルと端末装置とが接近したことによって当該コイルに誘導起電力が発生したことに応じて、案内表示が表示部に表示される。当該案内表示は、端末装置の位置を、当該端末装置の通信部とタグとの間で近距離無線通信が行われる位置に案内するものであるので、ユーザは、近距離無線通信を行うためのタグに対する端末装置の適切な位置を容易に推定できる。【選択図】図３
2016033718.tif 000002
【特許請求の範囲】
【請求項１】
端末装置の通信部から発せられた電磁波による電磁誘導を利用する近距離無線通信を行うためのタグと、
前記タグの周囲の少なくとも一部に配置された導電性のコイルと、
前記コイルと前記端末装置との接近によって当該コイルに誘導起電力が発生したことに応じて、前記端末装置の位置を、当該端末装置の通信部と前記タグとの間で前記近距離無線通信が行われる位置に案内する表示である案内表示を行う表示部と、
を備えていることを特徴とする通信装置。
【請求項２】
前記表示部は、前記誘導起電力が発生したコイルから前記タグに向かう方向を報せる表示を、前記案内表示として表示することを特徴とする請求項１記載の通信装置。
【請求項３】
前記表示部は、前記コイルに発生した誘導起電力により発光する発光体から構成されることを特徴とする請求項１または２に記載の通信装置。
【請求項４】
前記表示部は、発光体から構成され、
前記通信装置は、さらに、
前記コイルに発生した誘導起電力を検出する検出部と、
制御部を備え、
前記制御部は、
前記検出部により前記コイルに発生した誘導起電力が検出されたことに応じて、当該誘導起電力を発生した前記コイルに対応する前記発光体を、所定期間に亘り、所定間隔で点灯させることを特徴とする請求項１または２に記載の通信装置。
【請求項５】
前記発光体は、前記コイル毎に、前記タグを介して前記コイルの反対側に配置されていることを特徴とする請求項３または４に記載の通信装置。
【請求項６】
前記コイルに発生した誘導起電力を検出する検出部と、
制御部を備え、
前記表示部は、画像を表示する表示装置から構成され、
前記制御部は、
前記検出部により前記コイルに発生した誘導起電力が検出されたことに応じて、当該誘導起電力が生じたコイルから前記タグに向かう方向を報せる表示を、前記案内表示として、前記液晶表示装置に表示させることを特徴とする請求項１または２に記載の通信装置。
【請求項７】
前記コイルは、前記タグの周囲の少なくとも２箇所に配置された複数のコイルであり、
前記複数のコイルにおける隣接するコイルは一部が重ねて配置され、
前記表示部は、前記一部が重ねて配置された前記隣接するコイルの両方に誘導起電力が発生した場合、前記両方のコイルが重なる領域から前記タグに向かう方向を報せる表示を、前記案内表示として行うことを特徴とする請求項１から６のいずれかに記載の通信装置。
【請求項８】
前記表示部は、前記タグに対し、前記誘導起電力が発生したコイルが位置する方向を報せる表示を、前記案内表示として表示することを特徴とする請求項１記載の通信装置。
【請求項９】
前記コイルは、前記タグに対し同方向に複数が各々離間して配置され、
前記表示部は、前記タグに対し同方向に配置された複数の前記コイルのうち、前記タグに近い側に配置された第１のコイルに誘導起電力が発生した場合と、前記第１のコイルより前記タグから離れた側に配置された第２のコイルに誘導起電力が発生した場合とで、前記案内表示として異なる表示を行うことを特徴とする請求項１から８のいずれかに記載の通信装置。
【請求項１０】
前記コイルは、前記タグの周囲の４方向に各々配置されることを特徴とする請求項１から９のいずれかに記載の通信装置。
【請求項１１】
前記コイルは、前記タグが、面の角部側に配置されている場合、前記タグを介して前記角部を構成する２辺のそれぞれ反対側となる２箇所に配置されることを特徴とする請求項１から９のいずれかに記載の通信装置。
【請求項１２】
前記コイルは、前記タグが、面の端辺側に配置されている場合、前記タグを介して前記端辺側に配置されることなく、少なくとも、前記タグを介して前記端辺の反対側に配置されることを特徴とする請求項１から９のいずれかに記載の通信装置。
【請求項１３】
前記電磁誘導を利用する近距離無線通信は、ＮＦＣ（Ｎｅａｒ  Ｆｉｅｌｄ  Ｃｏｍｍｕｎｉｃａｔｉｏｎ）規格に従う無線通信であることを特徴とする請求項１から１２のいずれかに記載の通信装置。
【発明の詳細な説明】
【技術分野】
【０００１】
本発明は、通信装置に関する。
【背景技術】
【０００２】
特許文献１には、受電側アンテナがリーダライタのループアンテナから放射された電磁波を受信した場合に、ＬＥＤを点灯する技術が記載されている。
【先行技術文献】
【特許文献】
【０００３】
【特許文献１】特開２０１１−１６６７２９号公報
【発明の概要】
【発明が解決しようとする課題】
【０００４】
ループアンテナから放射される電磁波は指向性があるため、受電側アンテナに対するリーダライタの位置によっては、受電側アンテナが電磁波を受信できないことがある。しかしながら、特許文献１では、ループアンテナから放射された電磁波を受電側アンテナが受信できない場合について何ら考慮していない。よって、リーダライタを受電側アンテナに近づけているのもかかわらず、受電側アンテナが電磁波を受信できない場合、ユーザは、リーダライタを種々の方向に移動させ、受電側アンテナが電磁波を受信できる位置を探す必要があった。
【０００５】
本発明は、上述した事情を鑑みてなされたものであり、近距離無線通信を行うためのタグに対し、通信相手となる端末装置を適切な位置に容易に配置させることができる通信装置を提供することを目的とする。
【課題を解決するための手段】
【０００６】
この目的を達成するために、本発明の通信装置は、端末装置の通信部から発せられた電磁波による電磁誘導を利用する近距離無線通信を行うためのタグと、前記タグの周囲の少なくとも一部に配置された導電性のコイルと、前記コイルと前記端末装置との接近によって当該コイルに誘導起電力が発生したことに応じて、前記端末装置の位置を、当該端末装置の通信部と前記タグとの間で前記近距離無線通信が行われる位置に案内する表示である案内表示を行う表示部と、を備えている。
【０００７】
なお、本発明は、案内表示システム、案内表示方法等の種々の態様で構成できる。
【発明の効果】
【０００８】
請求項１記載の通信装置によれば、端末装置の通信部から発せられた電磁波による電磁誘導を利用する近距離無線通信を行うためのタグの周囲の少なくも一部に、導電性のコイルが配置されている。コイルと端末装置とが接近したことによって当該コイルに誘導起電力が発生したことに応じて、案内表示が表示部に表示される。当該案内表示は、端末装置の位置を、当該端末装置の通信部とタグとの間で近距離無線通信が行われる位置に案内するものであるので、ユーザは、近距離無線通信を行うためのタグに対する端末装置の適切な位置を容易に推定できる。よって、ユーザは、端末装置を、近距離無線通信を行うためのタグに対する適切な位置に容易に配置することができ、近距離無線通信を利用し易い。
【０００９】
請求項２記載の通信装置によれば、請求項１が奏する効果に加え、次の効果を奏する。表示部に表示される案内表示は、誘導起電力が発生したコイルから、近距離無線通信を行うためのタグに向かう方向を報せる表示である。よって、ユーザは、案内表示が示す方向に端末装置を移動させればよいことを把握できる。
【００１０】
請求項３記載の通信装置によれば、請求項１または２が奏する効果に加え、次の効果を奏する。表示部が、コイルに発生した誘導起電力により発光する発光体から構成されるので、コイルに発生した誘導起電力を電源とする簡易な構成で案内表示を行うことができる。
【００１１】
請求項４記載の通信装置によれば、請求項１または２が奏する効果に加え、次の効果を奏する。コイルに発生した誘導起電力が検出されたことに応じて、当該誘導起電力を発生したコイルに対応する表示部としての発光体が、所定期間に亘り、所定間隔で点灯される。よって、ユーザは、発光体の発光態様に基づき、近距離無線通信を行うためのタグに対する端末装置の適切な位置を推定できる。
【００１２】
請求項５記載の通信装置によれば、請求項３または４が奏する効果に加え、次の効果を奏する。コイル毎に、発光体が、タグを介してコイルの反対側に配置されるので、ユーザは、端末装置の移動方向を、現在位置から発光した発光体の位置へ向かう方向にすればよいことを把握できる。
【００１３】
請求項６記載の通信装置によれば、請求項１または２が奏する効果に加え、次の効果を奏する。コイルに発生した誘導起電力が検出されたことに応じて、誘導起電力が発生したコイルから、近距離無線通信を行うためのタグに向かう方向を報せる表示が、画像を表示する表示装置に表示される。よって、ユーザは、表示装置に表示された画像に基づいて、端末装置の移動方向を推定できる。
【００１４】
請求項７記載の通信装置によれば、請求項１から６のいずれかが奏する効果に加え、次の効果を奏する。タグの周囲の少なくとも２箇所に配置された複数のコイルにおいて、複数のコイルにおける隣接するコイルは一部が重ねて配置される。一部が重ねて配置されたコイルの両方に誘導起電力が発生した場合、当該両方のコイルが重なる領域からタグに向かう方向を報せる表示が、案内表示として行われる。よって、端末装置の移動方向をより詳細に報せることができる。
【００１５】
請求項８記載の通信装置によれば、請求項１が奏する効果に加え、次の効果を奏する。表示部に表示される案内表示は、誘導起電力が発生したコイルが位置する方向を報せる表示である。ユーザは、案内表示が示す方向とは逆向きに端末装置を移動させればよいことを把握できる。
【００１６】
請求項９記載の通信装置によれば、請求項１から８のいずれかが奏する効果に加え、次の効果を奏する。タグに対し同方向に配置された複数のコイルのうち、タグに近い側に配置された第１のコイルに誘導起電力が発生した場合と、第１のコイルよりタグから離れた側に配置された第２のコイルに誘導起電力が発生した場合とで、案内表示として異なる表示が行われる。よって、ユーザは、案内表示の内容に応じて、端末装置が、近距離無線通信を行うためのタグにどの程度近づいているかを把握できる。
【００１７】
請求項１０記載の通信装置によれば、請求項１から９のいずれかが奏する効果に加え、次の効果を奏する。コイルが、近距離無線通信を行うためのタグの周囲の４方向に各々配置されるので、当該タグに対する端末装置の位置を、当該タグの周囲の４方向について報せることができる。
【００１８】
請求項１１記載の通信装置によれば、請求項１から９のいずれかが奏する効果に加え、次の効果を奏する。近距離無線通信を行うためのタグが面の角部側に配置されている場合には、コイルは、当該タグを介して角部を構成する２辺のそれぞれ反対側となる２箇所に配置される。ユーザは、近距離無線通信を行うためのタグに端末装置を近づける操作を行う場合に、その操作をタグの設置面の外側にて行う可能性は低い。よって、コイルを、タグを介して、角部を構成する２辺のそれぞれ反対側となる２箇所に限って設けることで、構成を簡素にしつつ、十分に有用な案内表示をユーザに提供できる。
【００１９】
請求項１２記載の通信装置によれば、請求項１から９のいずれかが奏する効果に加え、次の効果を奏する。近距離無線通信を行うためのタグが面の端辺側に配置されている場合には、コイルは、当該タグを介して端辺側に配置されることなく、少なくとも、当該タグを介して端辺の反対側に配置される。ユーザは、近距離無線通信を行うためのタグに端末装置を近づける操作を行う場合に、その操作をタグの設置面の外側にて行う可能性は低い。よって、タグを介して端辺側にはコイルを設けないようにすることにより、構成を簡素にしつつ、十分に有用な案内表示をユーザに提供できる。
【００２０】
請求項１３記載の通信装置によれば、請求項１から１２のいずれかが奏する効果に加え、ＮＦＣ（Ｎｅａｒ  Ｆｉｅｌｄ  Ｃｏｍｍｕｎｉｃａｔｉｏｎ）規格に従う無線通信を行う場合に、端末装置を適切な位置に案内できる。
【図面の簡単な説明】
【００２１】
【図１】（ａ）は、本発明の通信装置であるデバイスの外観図であり、（ｂ）は、デバイスの上面図である。
【図２】デバイスの電気的構成を示すブロック図である。
【図３】コイルに対する端末装置の位置と、方向指示部の点灯状況とを示す模式図である。
【図４】第２実施形態のデバイスの上面図である。
【図５】第３実施形態のデバイスの上面図である。
【図６】第４実施形態のデバイスにおけるコイルの配置を説明する模式図である。
【図７】第５実施形態のデバイスにおけるコイルの配置を説明する模式図である。
【図８】第６実施形態のデバイスにおけるコイルの配置を説明する模式図である。
【図９】第７実施形態のデバイスの電気的構成を示すブロック図である。
【図１０】第７実施形態においてＬＣＤに表示される案内表示の一例を示す模式図である。
【図１１】第８実施形態における、コイルに対する端末装置の位置と、方向指示部の点灯状況とを示す模式図である。
【図１２】変形例におけるコイルの配置の一例を示す模式図である。
【発明を実施するための形態】
【００２２】
以下、本発明の好ましい実施形態について、添付図面を参照して説明する。まず、図１から図３を参照して、本発明の第１実施形態について説明する。図１（ａ）は、本発明の通信装置であるデバイス１０の外観図である。
【００２３】
デバイス１０は、ＮＦＣ（Ｎｅａｒ  Ｆｉｅｌｄ  Ｃｏｍｍｕｎｉｃａｔｉｏｎ）標準規格に従う非接触通信を利用できる装置として構成される。以下、ＮＦＣ標準規格に従う非接触通信を「ＮＦＣ通信」と称する。本実施形態のデバイス１０は、タブレット端末などの端末装置１００との間でＮＦＣ通信が確立されたことをトリガとして、印刷機能など、デバイス１０が有する機能を端末装置１００から利用できるよう構成される。
【００２４】
デバイス１０の天面１０ａには、ＮＦＣ通信を行うためのＮＦＣタグ２２（図１（ｂ）参照）の位置を示すマーク１０ｂが設けられるとともに、マーク１０ｂの周囲の４方向にそれぞれ方向指示部５１〜５４が設けられる。
【００２５】
より詳細には、マーク１０ｂの右側には右方向を指す矢印形状の右方向指示部５１が設けられ、マーク１０ｂの左側には左方向を指す矢印形状の左方向指示部５２が設けられる。また、マーク１０ｂの下側には下方向を指す矢印形状の下方向指示部５３が設けられ、マーク１０ｂの上側には上方向を指す矢印形状の上方向指示部５４が設けられる。なお、本実施形態では、「上」は、ユーザから見て奥側を意味し、「下」は、ユーザから見て手前側を意味する。また、「右」は、ユーザから見て右側を意味し、「左」は、ユーザから見て左側を意味する。
【００２６】
方向指示部５１〜５４は、ＬＥＤを内蔵する発光表示部である。方向指示部５１〜５４は、必要に応じてＬＥＤが点灯または消灯される。詳細は後述するが、本実施形態のデバイス１０は、ＮＦＣ通信の通信相手となる端末装置１００がマーク１０ｂに向けて近づけられた場合に、ＮＦＣタグ２２（図１（ｂ）参照）に対する端末装置１００の位置に応じた方向指示部５１〜５４を点灯し、ＮＦＣ通信を確立するために端末装置１００をどの向きに移動させたらよいかを案内する。
【００２７】
図１（ｂ）は、デバイス１０の上面図である。マーク１０ｂは、天面１０ａの中央付近に設けられている。天面１０ａの内部には、マーク１０ｂの位置に相当する位置に、ＮＦＣタグ２２が設けられている。天面１０ａの内部には、ＮＦＣタグ２２の周囲の４方向にそれぞれ導電性のコイル４１〜４４が設けられている。
【００２８】
より詳細には、ＮＦＣタグ２２の左側には左側コイル４１が設けられ、ＮＦＣタグ２２の右側には右側コイル４２が設けられる。また、ＮＦＣタグ２２の上側には上側コイル４３が設けられ、ＮＦＣタグ２２の下側には下側コイル４４が設けられる。コイル４１〜４４のいずれかに誘導起電力が生じた場合、方向指示部５１〜５４のうち、誘導起電力が生じたコイルに応じた方向指示部が点灯する。
【００２９】
より詳細には、左側コイル４１に誘導起電力が生じた場合、ＮＦＣタグ２２を介して左側コイル４１の反対側に位置する右方向指示部５１が点灯する。右側コイル４２に誘導起電力が生じた場合、ＮＦＣタグ２２を介して右側コイル４２の反対側に位置する左方向指示部５２が点灯する。上側コイル４３に誘導起電力が生じた場合、ＮＦＣタグ２２を介して上側コイル４３の反対側に位置する下方向指示部５３が点灯する。下側コイル４４に誘導起電力が生じた場合、ＮＦＣタグ２２を介して下側コイル４４の反対側に位置する上方向指示部５４が点灯する。
【００３０】
図１（ｂ）に示すように、コイル４１〜４４は、隣接するコイルの端部が重ねて設けられる。例えば、左側コイル４１および上側コイル４３は、左側コイル４１の上端と上側コイル４３の左端とが位置Ａにおいて重ねて設けられている。このように、隣接するコイルの端部が重ねて設けられているので、例えば、位置Ａの付近に近づけられた端末装置１００がＮＦＣ通信を行うために発した電磁波により、左側コイル４１と上側コイル４３との両方に誘導起電力が生じた場合には、右方向指示部５１と下方向指示部５３との両方が点灯される。
【００３１】
図２は、デバイス１０の電気的構成を示すブロック図である。本実施形態のデバイス１０は、印刷機能やスキャン機能を有する多機能周辺装置として構成される。デバイス１０には、ＣＰＵ１１、フラッシュメモリ１２、ＲＡＭ１３、操作キー１５、ＬＣＤ１６、タッチパネル１７、スキャナ部１８、プリンタ部１９、ＮＦＣタグ２２が主に設けられている。これらの各部は、入出力ポート２４を介して互いに接続されている。
【００３２】
ＣＰＵ１１は、フラッシュメモリ１２に記憶される固定値やプログラム、ＲＡＭ１３に記憶されているデータに従って、デバイス１０が有している各機能の制御や、入出力ポート２４と接続された各部を制御する。フラッシュメモリ１２は、不揮発性のメモリであり、デバイス１０の動作を制御する制御プログラムなどが格納される。ＲＡＭ１３は、ＣＰＵ１１が制御プログラムを実行するにあたり、各種データを一時的に記憶するためのテンポラリエリアを有する書換可能な揮発性のメモリである。
【００３３】
操作キー１５は、デバイス１０の筐体に設けられるメカニカルキーであり、各種の設定値や指示などをユーザから受け付ける。ＬＣＤ１６は、液晶表示装置であり、各種の画像を表示する。ＬＣＤ１６の画面には、タッチパネル１７がＬＣＤ１６に重ねて設けられる。スキャナ部１８は、原稿を読み取って画像データに変換する。プリンタ部１９は、画像データに基づく画像を記録用紙に印刷する。
【００３４】
ＮＦＣタグ２２は、非接触型の無線ＩＣ（Ｉｎｔｅｇｒａｔｅｄ  Ｃｉｒｃｕｉｔ）タグである。ＮＦＣタグ２２は、アンテナと、ＩＣチップと、アンテナおよびＩＣチップを固定する非導電性の台紙とから構成される。端末装置１００の通信部１０１は、ＮＦＣ通信を行うための電磁波を発する。ＮＦＣタグ２２は、通信部１０１から発せられた電磁波をアンテナが受信したことに応じて発生する電磁誘導によって生じた電力を利用して動作し、端末装置１００（具体的には、通信部１０１）とのＮＦＣ通信を実現する。
【００３５】
また、デバイス１０には、上述したコイル４１〜４４および方向指示部５１〜５４と、点灯制御装置６１とが設けられている。点灯制御装置６１は、方向指示部５１〜５４に内蔵されるＬＥＤの点灯と消灯とを制御する装置である。なお、点灯制御装置６１が行うＬＥＤの点灯制御は、ＬＥＤを所定間隔で点灯させる点滅制御を含む。
【００３６】
点灯制御装置６１は、電圧監視部６１ａと、制御部６１ｂとを含む。電圧監視部６１ａは、各コイル４１〜４４の電圧を監視する回路である。電圧監視部６１ａが、監視対象であるコイル４１〜４４のいずれかに、所定ボルト（例えば、３ボルト）以上の誘導起電力が生じたことを検出した場合、方向指示部５１〜５４のうち、誘導起電力が生じたコイルに対応する方向指示部のＬＥＤを点灯させるための制御信号を制御部６１ｂに出力する。
【００３７】
制御部６１ｂは、プログラムされた制御内容に基づき、方向指示部５１〜５４に内蔵されるＬＥＤの点灯制御を行う。制御部６１ｂは、電圧監視部６１ａから制御信号を受信した場合、その制御信号に対応するＬＥＤの点灯制御を実行する。本実施形態において、制御部６１ｂは、点灯制御として、所定期間（例えば、５秒間）に亘り点滅する点滅制御を実行する。より詳細には、制御部６１ｂは、所定期間に亘り所定間隔（例えば、０．５秒）で点灯する点滅制御を実行する。よって、本実施形態の点灯制御装置６１は、コイル４１〜４４に誘導起電力が生じた場合に、方向指示部５１〜５４のうち、誘導起電力が生じたコイルに対応する方向指示部のＬＥＤを所定期間に亘って所定間隔で点灯させる。
【００３８】
図３は、コイル４１〜４４に対する端末装置１００の位置と、方向指示部５１〜５４の点灯状況とを示す模式図である。図３（ａ）に示すように、端末装置１００、詳細には通信部１０１がＮＦＣタグ２２の左側の位置Ｐ１に近づけられたことにより、コイル４１〜４４のうち、左側コイル４１に誘導起電力が生じた場合には、方向指示部５１〜５４のうち、左側コイル４１に対応する右方向指示部５１が点灯する。より詳細には、右方向指示部５１が所定期間に亘って点滅される。
【００３９】
図３（ｂ）に示すように、端末装置１００がＮＦＣタグ２２の下側の位置Ｐ２に近づけられたことにより、下側コイル４４に誘導起電力が生じた場合、下側コイル４４に対応する上方向指示部５４が所定期間に亘って点滅される。
【００４０】
図３（ｃ）に示すように、端末装置１００がＮＦＣタグ２２の右側の位置Ｐ３に近づけられたことにより、右側コイル４２に誘導起電力が生じた場合、右側コイル４２に対応する左方向指示部５２が所定期間に亘って点滅される。
【００４１】
図３（ｄ）に示すように、端末装置１００がＮＦＣタグ２２の上側の位置Ｐ４に近づけられたことにより、上側コイル４３に誘導起電力が生じた場合、上側コイル４３に対応する下方向指示部５３が所定期間に亘って点滅される。
【００４２】
図３（ａ）〜（ｄ）によれば、方向指示部５１〜５４のうち、ＮＦＣタグ２２を介して、端末装置１００が近づけられたことにより誘導起電力が生じたコイルの反対側に位置する方向指示部が点灯する。よって、ユーザは、端末装置１００とＮＦＣタグ２２との間のＮＦＣ通信を確立するためには、端末装置１００を点灯された方向指示部５１〜５４に向かう方向に移動すればよいと推定できる。
【００４３】
また、図３（ｅ）に示すように、端末装置１００がＮＦＣタグ２２の左上側の位置Ｐ５に近づけられたことにより、左側コイル４１と上側コイル４３との両方に誘導起電力が生じた場合、右方向指示部５１と下方向指示部５３とが、それぞれ所定期間に亘って点滅される。
【００４４】
図３（ｆ）に示すように、端末装置１００がＮＦＣタグ２２の左下側の位置Ｐ６に近づけられたことにより、左側コイル４１と下側コイル４４との両方に誘導起電力が生じた場合、右方向指示部５１と上方向指示部５４とが、それぞれ所定期間に亘って点滅される。
【００４５】
図３（ｇ）に示すように、端末装置１００がＮＦＣタグ２２の右下側の位置Ｐ７に近づけられたことにより、右側コイル４２と下側コイル４４との両方に誘導起電力が生じた場合、左方向指示部５２と上方向指示部５４とが、それぞれ所定期間に亘って点滅される。
【００４６】
図３（ｈ）に示すように、端末装置１００がＮＦＣタグ２２の右上側の位置Ｐ８に近づけられたことにより、右側コイル４２と上側コイル４３との両方に誘導起電力が生じた場合、左方向指示部５２と下方向指示部５３とが、それぞれ所定期間に亘って点滅される。
【００４７】
図３（ｅ）〜（ｈ）によれば、コイル４１〜４４のうち、隣接するコイルが重なる部分の付近に端末装置１００が近づけられたことにより、当該重なる部分を形成する２つのコイルに誘電起電力が生じた場合、これら２つのコイルにそれぞれ対応する方向指示部が点灯する。よって、方向指示部５１〜５４のうち、２つの方向指示部が点灯した場合、ユーザは、端末装置１００とＮＦＣタグ２２との間のＮＦＣ通信を確立するために、点灯した２つの方向指示部に応じた向きに端末装置１００を移動させればよいと、推定できる。
【００４８】
具体的に、右方向指示部５１と下方向指示部５３とが点灯した場合、端末装置１００の移動方向として矢印Ｑ１の方向が推定される。右方向指示部５１と上方向指示部５４とが点灯した場合、端末装置１００の移動方向として矢印Ｑ２の方向が推定される。左方向指示部５２と上方向指示部５４とが点灯した場合、端末装置１００の移動方向として矢印Ｑ３の方向が推定される。左方向指示部５２と下方向指示部５３とが点灯した場合、端末装置１００の移動方向として矢印Ｑ４の方向が推定される。
【００４９】
つまり、図３（ｅ）〜（ｈ）によれば、コイル４１〜４４のうち、隣接するコイルが重なる部分の付近に端末装置１００が近づけられた場合、これら２つのコイルに対応する２つの方向表示部が点灯し、それにより、矢印Ｑ１〜Ｑ４のような、前記重なる部分からＮＦＣタグ２２に向かう方向が、端末１００の移動方向としてユーザに案内される。
【００５０】
第１実施形態によれば、ＮＦＣタグ２２を介して、端末装置１００が近づけられたことにより誘導起電力が生じたコイルの反対側に位置する方向指示部が点灯する。よって、ユーザは、方向指示部の点灯位置に基づいて、端末装置１００とＮＦＣタグ２２との間のＮＦＣ通信を確立するために、端末装置１００を移動すべき方向を推定できる。つまり、ユーザは、方向指示部が示す方向が、端末装置１００を移動すべき方向であると推定できる。
【００５１】
端末装置１００のサイズが大きいほど、ユーザは、ＮＦＣタグ２２のアンテナの位置に対し、端末装置１００がどの位置に配置されているかを把握し難い。これに対し、本実施形態のデバイス１０によれば、上述の通り、方向指示部の点灯によって、端末装置１００を移動すべき方向がユーザに案内されるので、ＮＦＣ通信の相手となる端末装置１００が、タブレット端末などの大きめの端末である場合に効果的である。
【００５２】
また、隣接するコイルが重ねて設けられたことにより、左右上下の４方向だけでなく、これら４方向をさらに細分化した８方向に端末装置１００を案内できる。このように、ユーザは、ＮＦＣ通信を確立するために端末装置１００を移動すべき方向を推定できるので、ＮＦＣ通信を利用する際に、端末装置１００を、ＮＦＣタグ２２に対する適切な位置に容易に配置できる。
【００５３】
次に、図４を参照して、本発明の第２実施形態について説明する。第１実施形態では、ＮＦＣタグ２２が天面１０ａの中央付近に設けられる構成とした。これに代えて、第２実施形態では、ＮＦＣタグ２２は、天面１０ａの角部付近に設けられる。第２実施形態において、第１実施形態と同一の部分には同一の符号を付して、その説明を省略する。
【００５４】
図４は、第２実施形態のデバイス１０の上面図である。マーク１０ｂは、天面１０ａの左下角部、すなわち、２つの辺１０ａ１，１０ａ２から構成される角部付近に設けられている。よって、ＮＦＣタグ２２もまた、天面１０ａの左下角部付近に設けられている。
【００５５】
上述した第１実施形態では、ＮＦＣタグ２２の周囲の４方向にコイル４１〜４４が設けられているのに対し、本実施形態では、ＮＦＣタグ２２の右側と上側とに２つのコイル４２，４３が設けられる。本実施形態のデバイス１０には、左側コイル４１および下側コイル４４は設けられていない。
【００５６】
２つのコイル４２，４３が設けられたことに応じて、各コイル４２，４３にそれぞれ対応する２つの方向指示部が設けられる。具体的に、右側コイル４２に対応する左方向指示部５２と、上側コイル４３に対応する下方向指示部５３とが設けられている。なお、本実施形態の方向指示部５２，５３は丸型形状に構成される。
【００５７】
第２実施形態によれば、ＮＦＣタグ２２が天面１０ａの左下角部付近に設けられている場合、ＮＦＣタグ２２を介して、左下角部を構成する２辺１０ａ１，１０ａ２の反対側の２箇所にコイル４２，４３が設けられる。ユーザは、端末装置１００をＮＦＣタグ２２に近づける操作を行う場合に、その操作を、ＮＦＣタグ２２の設置面（すなわち、天面１０ａ）の外側にて行う可能性は少ない。よって、ＮＦＣタグ２２が設置面の角部付近に設けられている場合には、コイルの設置場所を、ＮＦＣタグ２２が設けられた角部を構成する２辺のそれぞれ反対側となる２箇所に限ることにより、構成を簡素にしつつ、十分に有用な案内表示をユーザに提供できる。
【００５８】
次に、図５を参照して、本発明の第３実施形態について説明する。第３実施形態では、ＮＦＣタグ２２は、天面１０ａの端辺側に設けられる。第３実施形態において、第１実施形態と同一の部分には同一の符号を付して、その説明を省略する。
【００５９】
図５は、第３実施形態のデバイス１０の上面図である。マーク１０ｂは、天面１０ａにおける左辺側、すなわち、辺１０ａ１付近に設けられている。よって、ＮＦＣタグ２２もまた、辺１０ａ１付近に設けられている。
【００６０】
本実施形態では、ＮＦＣタグ２２の右側と上側と下側とに３つのコイル４２，４３，４４が設けられる。本実施形態のデバイス１０には、左側コイル４１は設けられていない。３つのコイル４２，４３，４４が設けられたことに応じて、各コイル４２，４３，４４にそれぞれ対応する３つの方向指示部５２，５３，５４が設けられる。
【００６１】
第３実施形態によれば、ＮＦＣタグ２２が天面１０ａの辺１０ａ１付近に設けられている場合、ＮＦＣタグ２２を介して辺１０ａ１側にコイルは設けられない。ユーザは、端末装置１００をＮＦＣタグ２２に近づける操作を行う場合に、その操作を、ＮＦＣタグ２２の設置面（すなわち、天面１０ａ）の外側にて行う可能性は低い。よって、ＮＦＣタグ２２が設置面の端辺側に設けられている場合には、ＮＦＣタグ２２を介して当該端辺側をコイルの設置場所から除外することにより、構成を簡素にしつつ、十分に有用な案内表示をユーザに提供できる。
【００６２】
次に、図６を参照して、本発明の第４実施形態について説明する。第４実施形態では、ＮＦＣタグ２２が、比較的短い短辺を有する面の短辺側に設けられる。第４実施形態において、第１実施形態と同一の部分には同一の符号を付して、その説明を省略する。
【００６３】
図６は、第４実施形態のデバイス１０におけるコイルの配置の一例を説明する模式図である。第４実施形態のデバイス１０は、第１実施形態のデバイス１０と筐体形状が異なる。具体的に、第４実施形態のデバイス１０は、短辺Ｇ１が比較的短い面Ｇを側面に有する。なお、本実施形態において、面Ｇは、例えば、ＬＣＤ１６やタッチパネル１７などが設けられた操作パネル面である。
【００６４】
本実施形態において、ＮＦＣタグ２２は、面Ｇにおける左辺側、すなわち、短辺Ｇ１付近に設けられている。コイルは、右側コイル４２のみが設けられる。つまり、本実施形態のデバイス１０には、左側コイル４１、上側コイル４３、および下側コイル４４は設けられない。よって、方向指示部も、左方向指示部５２のみが設けられ、右方向指示部５１、下方向指示部５３、および上方向指示部５４は設けられない。
【００６５】
第４実施形態によれば、ＮＦＣタグ２２が、短辺が比較的短い面Ｇにおける左側の短辺Ｇ１側に設けられている場合には、ＮＦＣタグ２２を介して短辺Ｇ１の反対側にのみコイルが設けられる。短辺が比較的短い面にＮＦＣタグ２２が設けられている場合、面Ｇの長辺Ｇ２，Ｇ３とＮＦＣタグ２２との間隔が狭く、ユーザは、端末装置１００をＮＦＣタグ２２に近づける操作を長辺Ｇ２，Ｇ３の側から行う可能性は低い。よって、ＮＦＣタグ２２が、短辺が比較的短い面における短辺側に設けられている場合には、ＮＦＣタグ２２を介して当該端辺の反対側にのみコイルを設けることにより、構成を簡素にしつつ、十分に有用な案内表示をユーザに提供できる。
【００６６】
次に、図７を参照して、本発明の第５実施形態について説明する。第５実施形態では、ＮＦＣタグ２２が、比較的短い短辺を有する面の中央付近に設けられる。第５実施形態において、第１実施形態と同一の部分には同一の符号を付して、その説明を省略する。
【００６７】
図７は、第５実施形態のデバイス１０におけるコイルの配置の一例を説明する模式図である。第５実施形態のデバイス１０は、第４実施形態のデバイス１０と同様、短辺Ｇ１が比較的短い面Ｇを側面に有する。
【００６８】
本実施形態において、ＮＦＣタグ２２は、面Ｇにおける中央付近に設けられている。コイルは、左側コイル４１および右側コイル４２が設けられる。つまり、本実施形態のデバイス１０には、上側コイル４３および下側コイル４４は設けられない。よって、方向指示部も、右方向指示部５１および左方向指示部５２が設けられ、下方向指示部５３および上方向指示部５４は設けられない。
【００６９】
第５実施形態によれば、ＮＦＣタグ２２が、短辺が比較的短い面Ｇにおける中央付近に設けられている場合には、面Ｇの長辺Ｇ２，Ｇ３の側にコイルは設けられない。短辺が比較的短い面にＮＦＣタグ２２が設けられている場合、面の長辺Ｇ２，Ｇ３とＮＦＣタグ２２との間隔が狭く、ユーザは、端末装置１００をＮＦＣタグ２２に近づける操作を長辺Ｇ２，Ｇ３の側から行う可能性は低い。よって、ＮＦＣタグ２２が、短辺が比較的短い面の中央付近に設けられている場合には、設置面の長辺側をコイルの設置場所から除外することにより、構成を簡素にしつつ、十分に有用な案内表示をユーザに提供できる。
【００７０】
次に、図８を参照して、本発明の第６実施形態について説明する。第１実施形態では、ＮＦＣタグ２２の周囲の４方向にコイル４１〜４４が設ける構成とした。これに代えて、第６実施形態では、ＮＦＣタグ２２の周囲の４方向に設けられたコイル４１〜４４に加え、その外側にもコイルを設ける。第６実施形態において、第１実施形態と同一の部分には同一の符号を付して、その説明を省略する。
【００７１】
図８は、第６実施形態のデバイス１０におけるコイルの配置を説明する模式図である。図８（ａ）に示すように、４つのコイル４５〜４８が、コイル４１〜４４の外側に設けられる。具体的に、左側コイル４５が、左側コイル４１の外側、すなわち、ＮＦＣタグ２２から離れる側に設けられる。右側コイル４６が、右側コイル４１の外側に設けられる。上側コイル４７が、上側コイル４３の外側に設けられる。下側コイル４８が、下側コイル４４の外側に設けられる。
【００７２】
本実施形態では、４つの方向指示部５１〜５４は、それぞれ２つの矢印形状の方向指示部から構成される。具体的に、右方向指示部５１は、右方向指示部５１ａと、右方向指示部５１ａより外側に設けられた右方向指示部５１ｂとから構成される。左方向指示部５２は、左方向指示部５２ａと、左方向指示部５２ａより外側に設けられた左方向指示部５２ｂとから構成される。下方向指示部５３は、下方向指示部５３ａと、下方向指示部５３ａより外側に設けられた下方向指示部５３ｂとから構成される。上方向指示部５４は、上方向指示部５４ａと、上方向指示部５４ａより外側に設けられた上方向指示部５４ｂとから構成される。
【００７３】
８つのコイル、すなわち、コイル４１〜４８は、それぞれ、点灯制御装置６１に接続される。コイル４１〜４８のいずれかに誘導起電力が生じた場合、点灯制御装置６１は、方向指示部５１〜５４のうち、誘導起電力が生じたコイルに対応する方向指示部のＬＥＤを点灯させる。
【００７４】
より詳細には、コイル４１〜４８のうち、内側のコイル４１〜４４に誘導起電力が生じた場合には、点灯制御装置６１は、方向指示部５１〜５４における内側の方向指示部を点灯させる。例えば、図８（ａ）に示すように、端末装置１００が位置Ｒ１に近づけられたことにより、左側コイル４１に誘導起電力が生じた場合、点灯制御部６１は、右方向指示部５１のうち、内側に位置する右方向指示部５１ａのＬＥＤを所定期間に亘って点灯させる。
【００７５】
その他、図示はしないが、右側コイル４２に誘導起電力が生じた場合、点灯制御部６１は、左方向指示部５２のうち、内側に位置する左方向指示部５２ａのＬＥＤを所定期間に亘って点灯させる。上側コイル４３に誘導起電力が生じた場合、点灯制御部６１は、下方向指示部５３のうち、内側に位置する下方向指示部５３ａのＬＥＤを所定期間に亘って点灯させる。下側コイル４４に誘導起電力が生じた場合、点灯制御部６１は、上方向指示部５４のうち、内側に位置する上方向指示部５４ａのＬＥＤを所定期間に亘って点灯させる。
【００７６】
一方、外側のコイル４５〜４８に誘導起電力が生じた場合には、点灯制御装置６１は、方向指示部５１〜５４における内側および外側の方向指示部を点灯させる。例えば、図８（ｂ）に示すように、端末装置１００が位置Ｒ２に近づけられたことにより、左側コイル４５に誘導起電力が生じた場合、点灯制御部６１は、右方向指示部５１を構成する右方向指示部５１ａ，５１ｂのＬＥＤを所定期間に亘って点灯させる。
【００７７】
その他、図示はしないが、右側コイル４６に誘導起電力が生じた場合、点灯制御部６１は、左方向指示部５２を構成する左方向指示部５２ａ，５２ｂのＬＥＤを所定期間に亘って点灯させる。上側コイル４７に誘導起電力が生じた場合、点灯制御部６１は、下方向指示部５３を構成する下方向指示部５３ａ，５３ｂのＬＥＤを所定期間に亘って点灯させる。下側コイル４８に誘導起電力が生じた場合、点灯制御部６１は、上方向指示部５４を構成する上方向指示部５４ａ，５４ｂのＬＥＤを所定期間に亘って点灯させる。
【００７８】
第６実施形態によれば、ＮＦＣタグ２２に対し同方向に配置された複数のコイルのうち、ＮＦＣタグ２２に近い側に配置されたコイルに誘導起電力が生じた場合と、ＮＦＣタグ２２から離れた側に配置されたコイルに誘導起電力が生じた場合とで、方向指示部の点灯態様が異なる。よって、ユーザは、点灯態様の違いによって、端末装置１００が、ＮＦＣタグにどの程度近づいているかを把握できる。
【００７９】
次に、図９および図１０を参照して、本発明の第７実施形態について説明する。第１実施形態では、ＮＦＣ通信を確立するために端末装置１００をどの向きに移動させたらよいかを示す案内表示を、方向指示部５１〜５４、すなわち、ＬＥＤを用いて行う構成とした。これに代えて、第７実施形態では、ＬＣＤ１６を用いて案内表示を行う。第７実施形態において、第１実施形態と同一の部分には同一の符号を付して、その説明を省略する。
【００８０】
図９は、第７実施形態のデバイス１０の電気的構造を示すブロック図である。本実施形態のデバイスは、コイル４１〜４４が、電圧監視部７１を介して入出力ポート２４に接続される。電圧監視部７１は、上述した電圧監視部６１ａと同様、各コイル４１〜４４の電圧を監視する回路である。
【００８１】
電圧監視部７１が、監視対象であるコイル４１〜４４のいずれかに、所定ボルト（例えば、３ボルト）以上の誘導起電力が生じたことを検出した場合、誘導起電力が生じたコイルに対応する案内表示をＬＣＤ１６に表示させるための制御信号を出力する。ＣＰＵ１１は、電圧監視部７１から制御信号を受信した場合、その制御信号に対応する案内表示をＬＣＤ１６に表示する。
【００８２】
図１０（ａ）〜（ｈ）は、本実施形態においてＬＣＤ１６に表示される案内表示の一例を示す図である。図１０（ａ）には、コイル４１〜４４のうち、左側コイル４１に誘導起電力が生じた場合に表示される案内表示の例を示す。左側コイル４１に誘導起電力が生じた場合、右方向を示す矢印の画像８１が、案内表示としてＬＣＤ１６に表示される。図１０（ｂ）には、右側コイル４２に誘導起電力が生じた場合に表示される案内表示の例を示す。右側コイル４２に誘導起電力が生じた場合、左方向を示す矢印の画像８２が、案内表示としてＬＣＤ１６に表示される。
【００８３】
図１０（ｃ）には、上側コイル４３に誘導起電力が生じた場合に表示される案内表示の例を示す。上側コイル４３に誘導起電力が生じた場合、下方向を示す矢印の画像８３が、案内表示としてＬＣＤ１６に表示される。図１０（ｄ）には、下側コイル４４に誘導起電力が生じた場合に表示される案内表示の例を示す。下側コイル４４に誘導起電力が生じた場合、上方向を示す矢印の画像８４が、案内表示としてＬＣＤ１６に表示される。
【００８４】
図１０（ｅ）には、左上側にて端部が重ねて設けられた左側コイル４１と上側コイル４３との両方に誘導起電力が生じた場合に表示される案内表示の例を示す。左側コイル４１および上側コイル４３に誘導起電力が生じた場合、右下方向を示す矢印の画像８５が、案内表示としてＬＣＤ１６に表示される。
【００８５】
図１０（ｆ）には、左下側にて端部が重ねて設けられた左側コイル４１と下側コイル４４との両方に誘導起電力が生じた場合に表示される案内表示の例を示す。左側コイル４１および下側コイル４４に誘導起電力が生じた場合、右上方向を示す矢印の画像８６が、案内表示としてＬＣＤ１６に表示される。
【００８６】
図１０（ｇ）には、右下側にて端部が重ねて設けられた右側コイル４２と下側コイル４４との両方に誘導起電力が生じた場合に表示される案内表示の例を示す。右側コイル４２および下側コイル４４に誘導起電力が生じた場合、左上方向を示す矢印の画像８７が、案内表示としてＬＣＤ１６に表示される。
【００８７】
図１０（ｈ）には、右上側にて端部が重ねて設けられた右側コイル４２と上側コイル４３との両方に誘導起電力が生じた場合に表示される案内表示の例を示す。右側コイル４２および上側コイル４３に誘導起電力が生じた場合、左下方向を示す矢印の画像８８が、案内表示としてＬＣＤ１６に表示される。
【００８８】
第７実施形態によれば、コイル４１〜４４のいずれかに誘導起電力が生じた場合には、誘導起電力が生じたコイルからＮＦＣタグ２２に向かう方向を示す矢印の画像８１〜８４が案内画像として表示される。一方、２つのコイルが重なる部分に端末装置１００が近づけられたことにより、２つのコイルに誘導起電力が生じた場合には、当該重なる部分からＮＦＣタグ２２に向かう方向を示す斜め方向の矢印の画像８５〜８８が案内画像として表示される。よって、ユーザは、ＮＦＣ通信を確立するために端末装置１００を移動すべき方向を、ＬＣＤ１６に表示された画像に基づいて推定できる。
【００８９】
上記第７実施形態では、一端側が重なる２つのコイルに誘導起電力が生じた場合には、斜め方向の矢印を表示させた。これに代えて、画像８１〜８４のうち、誘導起電力が生じた２つのコイルにそれぞれ応じた２つの画像を案内画像として表示させてもよい。
【００９０】
次に、図１１を参照して、本発明の第８実施形態について説明する。第１実施形態では、方向指示部５１〜５４のうち、ＮＦＣタグ２２を介して、端末装置１００が近づけられたことにより誘導起電力が生じたコイルの反対側に位置する方向指示部を点灯する構成とした。これに代えて、第８実施形態では、ＮＦＣタグ２２に対し、端末装置１００が近づけられたことにより誘導起電力が生じたコイルが位置する側の方向指示部を点灯する。第８実施形態において、第１実施形態と同一の部分には同一の符号を付して、その説明を省略する。
【００９１】
図１１は、本実施形態における、コイル４１〜４４に対する端末装置１００の位置と、方向指示部５１〜５４の点灯状況とを示す模式図である。図１１（ａ）に示すように、端末装置１００が位置Ｐ１に近づけられたことにより、左側コイル４１に誘導起電力が生じた場合、点灯制御装置６１は、左方向指示部５２を所定期間に亘って点滅させる。図１１（ｂ）に示すように、端末装置１００が位置Ｐ２に近づけられたことにより、下側コイル４４に誘導起電力が生じた場合、点灯制御装置６１は、下方向指示部５３を所定期間に亘って点滅させる。
【００９２】
図１１（ｃ）に示すように、端末装置１００が位置Ｐ３に近づけられたことにより、右側コイル４２に誘導起電力が生じた場合、点灯制御装置６１は、右方向指示部５１を所定期間に亘って点滅させる。図１１（ｄ）に示すように、端末装置１００が位置Ｐ４に近づけられたことにより、上側コイル４３に誘導起電力が生じた場合、点灯制御装置６１は、上方向指示部５４を所定期間に亘って点滅させる。
【００９３】
図１１（ｅ）に示すように、端末装置１００が位置Ｐ５に近づけられたことにより、左側コイル４１と上側コイル４３との両方に誘導起電力が生じた場合、点灯制御装置６１は、左方向指示部５２と上方向指示部５４とを、それぞれ所定期間に亘って点滅させる。図１１（ｆ）に示すように、端末装置１００が位置Ｐ６に近づけられたことにより、左側コイル４１と下側コイル４４との両方に誘導起電力が生じた場合、点灯制御装置６１は、左方向指示部５２と下方向指示部５３とを、それぞれ所定期間に亘って点滅させる。
【００９４】
図１１（ｇ）に示すように、端末装置１００が位置Ｐ７に近づけられたことにより、右側コイル４２と下側コイル４４との両方に誘導起電力が生じた場合、点灯制御装置６１は、右方向指示部５１と下方向指示部５３とを、それぞれ所定期間に亘って点滅させる。図１１（ｈ）に示すように、端末装置１００が位置Ｐ８に近づけられたことにより、右側コイル４２と上側コイル４３との両方に誘導起電力が生じた場合、点灯制御装置６１は、右方向指示部５１と上方向指示部５４とを、それぞれ所定期間に亘って点滅させる。
【００９５】
第８実施形態によれば、ＮＦＣタグ２２に対し、端末装置１００が近づけられたことにより誘導起電力が生じたコイルが位置する側の方向指示部が点灯される。よって、ユーザは、ＮＦＣタグ２２に対する端末装置１００の位置を把握できる。そして、ユーザは、ＮＦＣ通信を確立するために端末装置１００を移動すべき方向が、方向指示部が示す方向とは逆向きの方向であると推定できる。
【００９６】
上記第８実施形態では、方向指示部５１〜５４として、ＮＦＣタグ２２から離れる側を示す矢印を用いたが、ＮＦＣタグ２２を向く側を示す矢印としてもよい。ＮＦＣタグ２２を向く側を示す矢印を方向指示部５１〜５４として用いることにより、ユーザは、方向指示部が示す方向が、端末装置１００を移動すべき方向であると推定できる。
【００９７】
上記実施形態において、デバイス１０が、通信装置の一例である。ＮＦＣ通信が、電磁誘導を利用する近距離通信の一例である。ＮＦＣタグ２２が、タグの一例である。コイル４１〜４８が、コイルの一例である。コイル４１〜４４が、第１コイルの一例である。コイル４５〜４８が、第２コイルの一例である。方向指示部５１〜５４が、表示部、発光体の一例である。ＬＣＤ１６が、表示部、表示装置の一例である。電圧監視部６１ａ、電圧監視部７１が、検出部の一例である。制御部６１ｂ、ＣＰＵ１１が、制御部の一例である。
【００９８】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００９９】
例えば、上記実施形態では、本発明の通信装置であるデバイス１０として、多機能周辺装置を例示したが、ＮＦＣ通信による通信が可能なデバイスであれば、ＮＦＣ通信を用いて電子マネーを決済する装置や、ＮＦＣ通信を用いて認証を行う装置など、種々の装置を適用できる。
【０１００】
上記実施形態では、デバイス１０とＮＦＣ通信を行う端末装置１００としてタブレット端末を例示したが、ＮＦＣ通信を行うための電磁波を発することができる装置であれば、スマートフォンや、デジタルカメラや、音楽再生装置などの装置を適用できる。
【０１０１】
上記実施形態では、電磁波による誘導起電力を利用する近距離無線通信として、ＮＦＣ通信を例示した。ＮＦＣ通信に限らず、ＮＦＣ通信と同様に、一方の装置から発せられた電磁波による誘導起電力を利用する近距離無線通信であれば、本発明を適用できる。
【０１０２】
上記実施形態では、箱状のデバイス１０の天面１０ａをＮＦＣタグ２２の設置面とした。天面１０ａに限らず、前面など種々の面をＮＦＣタグ２２の設置面として適用できる。また、天面１０ａのような、デバイス１０の外表面に限らない。例えば、スライドにより筐体から引き出される面や、表面の一部に設けられたカバーを開いたことによって露出する面や、カバーの裏面側の面なども、ＮＦＣタグ２２の設置面として適用できる。なお、デバイス１０の形状は箱状に限るものでない。また、ＮＦＣタグ２２の設置面の形状は矩形または略矩形に限るものではない。
【０１０３】
上記実施形態では、ＮＦＣタグ２２の設置場所として、天面１０ａの中央付近や、左下角部付近や、左辺１０ａ１付近などを例示したが、ＮＦＣタグ２２の設置場所は、上記例示した位置に限定されない。デバイスにおける種々の設置面における種々の場所を、ＮＦＣタグ２２の設置場所として採用できる。
【０１０４】
上記第１実施形態では、ＮＦＣタグ２２の周囲の４方向に４つのコイル４１〜４４を設ける構成とした。ＮＦＣタグ２２の周囲に設けるコイルの数は、適宜の数を採用できる。例えば、ＮＦＣタグ２２の周囲の８方向に八角形状に８つのコイルを設ける構成としてもよい。なお、方向指示部は、設けたコイルの数に応じて、各コイルに対応するものを設けるようにすればよい。
【０１０５】
上記実施形態では、隣接するコイルの端部を重ねて設け、重なる部分を構成する２つのコイルに誘導起電力が生じた場合には、それら２つのコイルにそれぞれ対応する２つの方向指示部のＬＥＤが点灯する構成とした。これに代えて、方向指示部を、上下左右の４方向をさらに２分割した８方向にそれぞれ方向指示部を設け、重なる部分を構成する２つのコイルに誘導起電力が生じた場合には、それら２つのコイルにそれぞれ対応する２つの方向指示部でなく、２つの方向指示部の間に位置する、斜め方向を示す方向指示部のＬＥＤを点灯させる構成としてもよい。
【０１０６】
上記実施形態では、隣接するコイルの端部を重ねて設ける構成としたが、隣接するコイルの端部を重ねない構成であってもよい。例えば、図１２（ａ）に示すように、ＮＦＣタグ２２の角部に相当する位置にコイル４１〜４４のいずれも位置しないように配置することができる。
【０１０７】
あるいは、図１２（ｂ）に示すように、上側コイル４３および下側コイル４４をＮＦＣタグ２２の角部に相当する位置に配置するようにしてもよい。同様に、図１２（ｃ）に示すように、左側コイル４１および右側コイル４２をＮＦＣタグ２２の角部に相当する位置に配置するようにしてもよい。図１２（ｂ）および図１２（ｃ）に示す例によれば、ＮＦＣタグ２２の角部に相当する位置に近づけられた端末装置１００を検出できる。
【０１０８】
上記実施形態では、ＮＦＣタグ２２と、コイル４１〜４８と、方向指示部５１〜５４とが全て同じ面に設けられる構成とした。方向指示部５１〜５４については、ＮＦＣタグ２２およびコイル４１〜４８が設けられた面とは異なる面に設けられていてもよい。また、上記実施形態では、方向指示部５１〜５４とコイル４１〜４８とが重ならない場合を例示したが、方向指示部５１〜５４が、コイル４１〜４８上に配置されていてもよい。
【０１０９】
上記実施形態では、点灯制御装置６１を用いて、方向指示部５１〜５４の点灯を制御する構成とした。ＬＥＤは、コイル４１〜４４に生じた誘導起電力で点灯することができる。よって、点灯制御装置６１を用いず、コイル４１〜４４に生じた誘導起電力で方向指示部５１〜５４のＬＥＤを点灯する構成としてもよい。
【０１１０】
あるいは、図９と同様に、コイル４１〜４４を、電圧監視部７１を介して入出力ポート２４に接続するとともに、方向指示部５１〜５４を入出力ポート２４に接続し、ＣＰＵ１１が、方向指示部５１〜５４の点灯制御を行う構成としてもよい。
【０１１１】
上記実施形態では、点灯制御装置６１が実行する点灯制御として、所定期間に亘り所定間隔で点灯する点滅制御を例示した。点灯制御装置６１が実行する点灯制御は、上記点滅制御に限らず、ＬＥＤの点灯を所定期間持続させる制御など、その他の制御であってもよい。
【０１１２】
上記実施形態では、点灯制御装置６１を、コイル４１〜４４に生じた誘導起電力により動作するものとしたが、別電源から供給された電圧により動作するであってもよい。
【０１１３】
上記第６実施形態では、コイル４５〜４８を、コイル４１〜４４の外側に設ける構成とした。コイル４５〜４８の外側にさらにコイルを設け、コイル４１〜４４に誘導起電力が生じた場合と、コイル４５〜４８に誘導起電力が生じた場合と、コイル４５〜４８の外側に設けられたコイルに誘導起電力が生じた場合とで、方向指示部の点灯態様を異ならすようにしてもよい。
【０１１４】
上記第６実施形態では、方向指示部５１〜５４をそれぞれ２つの方向指示部から構成し、内側の方向指示部だけ点灯するか、内側と外側の方向指示部を点灯するかで、方向指示部の点灯態様を異ならせる構成とした。これに代えて、方向指示部５１〜５４を１つの方向指示部から構成し、内蔵されるＬＥＤの輝度を変えることによって、方向指示部の点灯態様を異ならせる構成としてもよい。あるいは、ＬＥＤとして、３色ＬＥＤなどの多色ＬＥＤを採用し、ＬＥＤの発光色を変えることによって、方向指示部の点灯態様を異ならせる構成としてもよい。
【０１１５】
また、第７実施形態のようにＬＣＤ１６に案内表示を行う場合に、コイル４１〜４４に誘導起電力が生じたか、コイル４５〜４８に誘導起電力が生じたかに応じて、ＬＣＤ１６の表示内容、例えば、矢印の色や形状や数などを異ならせるように構成してもよい。
【０１１６】
上記第７実施形態では、デバイス１０のＬＣＤ１６に案内表示を表示させる構成としたが、デバイス１０とは別体の表示装置に案内表示を表示させる構成としてもよい。また、案内表示は、ＬＣＤ１６のような液晶表示装置に限らず、有機ＥＬディスプレイなど、画像が表示される表示装置であればよい。
【０１１７】
上記第７実施形態では、画像８１など、矢印の画像を案内画像としてＬＣＤ１６に表示した。ＬＣＤ１６に表示する案内表示は、画像８１などのような矢印の画像に限らず、ＮＦＣ通信を確立するために端末装置１００をどの向きに移動させたらよいかを案内する画像であれば、種々の画像を利用できる。例えば、丸などの所定形状の図形が上下左右の４方向にそれぞれ配置され、４つのうち、案内するための１つの図形の色を他の図形の色と異ならせた画像を、案内画像としてＬＣＤ１６に表示する構成としてもよい。また、案内表示は、画像８１などのような矢印の画像に限らず、文字列であってもよい。
【０１１８】
上記実施形態では、ＮＦＣタグ２２として、ＣＰＵ１１に接続され、ＣＰＵ１１からデータを読み書きできる所謂「ＮＦＣダイナミックタグ」を例示した。これに代えて、ＣＰＵ１１のような制御部に接続されることなく、データの読み書きをＮＦＣ通信のみで行うＮＦＣタグであっても、ＮＦＣタグ２２として適用できる。
【０１１９】
上述した各実施形態により説明した各特徴や、上述した各変形例を適宜組み合わせて実施する構成としてもよい。
【符号の説明】
【０１２０】
１０：デバイス，２２：ＮＦＣタグ，４１〜４４：コイル，５１〜５４：方向指示部
【図１】
2016033718.tif 000003
【図２】
2016033718.tif 000004
【図３】
2016033718.tif 000005
【図４】
2016033718.tif 000006
【図５】
2016033718.tif 000007
【図６】
2016033718.tif 000008
【図７】
2016033718.tif 000009
【図８】
2016033718.tif 000010
【図９】
2016033718.tif 000011
【図１０】
2016033718.tif 000012
【図１１】
2016033718.tif 000013
【図１２】
2016033718.tif 000014